(57)【要約】【課題】  ガラスが固定された縁部材を、胴を伴うことなく交換可能とした時計を提供する。【解決手段】  腕時計１１は、環状の胴１５、裏蓋３１、環状の縁部材２１、ガラス２７、及び止め輪３６を具備する。嵌合孔１６を形成する胴１５の表側端部１５ａが、嵌合孔１６の周りの縁受け面１７と係合裏面１８を有する。胴１５の裏側端部１５ｂに裏蓋３１を着脱可能に取付ける。縁部材２１に形成された環状段部２４にガラス２７を嵌め込み固定する。縁部材２１に、嵌合孔１６を挿脱可能に貫通する筒状部２２と縁受け面１７に重なるカバー部２３とを設ける。筒状部２２にその外周に開放する環状の取付け溝２２ａを設ける。止め輪３６を、弾性を有した材料でＣ字状に形成する。裏蓋３１を外した状態で取付け溝２２ａに着脱され係合裏面１８に引っ掛かる止め輪３６とカバー部２３とで、表側端部１５ａを挟んで、筒状部２２を表側端部１５ａに着脱可能に取付ける。【選択図】      図２
2007171128.tif 000002
【特許請求の範囲】
【請求項１】
嵌合孔を形成する表側端部を有するとともに、この端部が前記嵌合孔の周りに縁受け面と前記嵌合孔の周りに張り出すように連続する係合裏面とを有した環状の胴と、
この胴の裏側端部に着脱可能に取付けられた裏蓋と、
前記嵌合孔に挿脱可能に嵌合される筒状部及び前記縁受け面に重なるカバー部を有し、かつ、前記筒状部にその外周に開放する環状の取付け溝が形成された環状の縁部材と、
この縁部材に形成された環状段部に嵌め込み固定されたガラスと、
弾性を有した材料でＣ字状に形成され、前記取付け溝に着脱可能に取付けられるとともに前記係合裏面に引っ掛かって前記表側端部を前記カバー部との間に挟み、かつ、前記裏蓋を外した状態で着脱される止め輪と、
を具備する時計。
【請求項２】
前記縁受け面とカバー部との間に圧縮状態に挟持された環状のシールパッキンを備えた請求項１に記載の時計。
【請求項３】
前記止め輪の少なくとも一端部を、前記筒状部の外周から食み出させて前記取付け溝から前記止め輪を外す際の操作部とし、この操作部と前記筒状部との間に前記裏蓋側から見て楔状の工具差込用隙間を形成した請求項１又は２に記載の時計。
【請求項４】
前記止め輪の少なくとも一端部の前記筒状部から外れた部位に工具差込用小孔を設けて、前記一端部を前記取付け溝から前記止め輪を外す際の操作部とした請求項１又は２に記載の時計。
【請求項５】
前記ガラスが前記環状段部に接着剤により固定されている請求項１から４の内のいずれか一項に記載の時計。
【発明の詳細な説明】
【技術分野】
【０００１】
本発明は、例えば腕時計や懐中時計のような携帯時計、置き時計、壁掛け時計等の時計に関する。
【背景技術】
【０００２】
従来、裏蓋を備える腕時計の中には、文字板が収容される胴の表側端部の内周に環状突部を形成し、この環状突部の内周に、文字板を覆うガラスが嵌め込み固定されるとともにベゼルを兼ねた縁部材の筒状部を嵌合させ、この筒状部と一体のかしめ部を環状突部の裏面にかしめ付けた腕時計が知られている（例えば、特許文献１参照。）。
【特許文献１】実公平５−３７２７３号公報（第１頁右欄第２４行〜第２７行、第１図）
【発明の開示】
【発明が解決しようとする課題】
【０００３】
前記のように縁部材が胴にかしめ止めされた腕時計では、変形されたかしめ部を、かしめる以前の状態に戻した後に、再びかしめることは、かしめ部の機械的強度が極端に低下するので、胴から縁部材を外すことができない。このため、腕時計の使用者にとって縁部材が損傷した場合は、ガラスが固定された縁部材だけではなく、この縁部材がかしめ付けられた胴ごと交換することを余儀なくされている。
【０００４】
又、胴と縁部材との間にシールパッキンを挟持して防水を図った腕時計では、腕時計の長期保証期間中及びその後にシールパッキンの性能が低下することが考えられる。これに対処してシールパッキンを交換しようとする場合にも、胴から縁部材を外すことができないので、縁部材だけではなく、この縁部材がかしめ付けられた胴ごと交換することを余儀なくされる。
【０００５】
本発明の目的は、ガラスが固定された縁部材を、胴を伴うことなく交換可能とした時計を提供することにある。
【課題を解決するための手段】
【０００６】
本発明は、嵌合孔を形成する表側端部を有するとともに、この端部が前記嵌合孔の周りに縁受け面と前記嵌合孔の周りに張り出すように連続する係合裏面とを有した環状の胴と、この胴の裏側端部に着脱可能に取付けられた裏蓋と、前記嵌合孔に挿脱可能に嵌合される筒状部及び前記縁受け面に重なるカバー部を有し、かつ、前記筒状部にその外周に開放する環状の取付け溝が形成された環状の縁部材と、この縁部材に形成された環状段部に嵌め込み固定されたガラスと、弾性を有した材料でＣ字状に形成され、前記取付け溝に着脱可能に取付けられるとともに前記係合裏面に引っ掛かって前記表側端部を前記カバー部との間に挟み、かつ、前記裏蓋を外した状態で着脱される止め輪と、を具備している。
【０００７】
本発明で、縁受け面は、嵌合孔の表側開口端から周囲に張り出すように連続して設けられていても、或いは前記表側開口端と縁受け面とが胴の厚み方向について異なる高さ位置に在るように前記表側開口端との間に段差を形成して設けられていてもよい。又、縁受け面とこれに接するカバー部の接触面は、胴の厚み方向に直交する方向に沿う平面に限らず、胴の厚み方向に斜めに交差する方向に沿う斜面、或いは胴の厚み方向に斜めに交差する方向に沿って湾曲する曲面で形成されていてもよい。
【０００８】
本発明で、筒状部の外周及びこの筒状部が挿入される嵌合孔は、円形でも、多角形であってもよい。本発明で、縁部材の環状段部へのガラスの固定は、接着剤を用いても、或いは環状段部との間に弾性を有するシールリングを挟んでガラスを環状段部に圧入することで固定してもよい。
【０００９】
本発明で、Ｃ字状等の止め輪は弾性変形が可能な金属材料などで好適に形成できる。これとともに、止め輪の断面形状は、係合裏面への引っ掛かりしろをより多く確保する上では四角形が好ましく、より好ましくは厚みが薄い長四角形とするよい。しかし、止め輪の断面形状は丸形であってもよい。又、本発明で、筒状部に形成される取付け溝の断面形状は、止め輪の断面形状に対応させることに限らず、止め輪の断面形状に関係なく断面Ｖ字状とすることもできる。後者の場合には、環状取付け溝の寸法のばらつきと、止め輪の断面寸法のばらつきとに起因する止め輪のがたつきを防止できる。そのため、止め輪とカバー部による表側端部に挟み込みを強固にして、胴に対する縁部材の取付けをより安定させ易い点で好ましい。
【００１０】
本発明では、ガラスが固定された縁部材の筒状部が胴の嵌合孔に挿入されて縁部材のカバー部が胴の縁受け面に重なった状態を、胴の内部に収容されて表側端部の係合裏面と筒状部の取付け溝とにわたって配置された止め輪で保持しており、この止め輪は裏蓋を開いた状態で着脱できる。このため、縁部材が損傷した場合等に、止め輪を着脱することで、縁部材を胴に着脱できる。したがって、ガラスが固定された縁部材を、胴を伴うことなく交換できる。
【００１１】
本発明の好ましい形態では、前記縁受け面とカバー部との間に圧縮状態に挟持された環状のシールパッキンを備えている。ここにシールパッキンは、縁受け面とカバー部とのいずれか一方に環状に保持溝を形成し、この保持溝に嵌めて設けてもよいし、或いはこうした保持溝を形成することなく設けることもできる。
【００１２】
この好ましい形態では、既述のように止め輪の着脱によって胴に対する縁部材の組込みと分離ができるので、縁受け面とカバー部との間の防水・防塵を担うシールパッキンの性能が低下した場合に、このパッキンを、胴と縁部材との内の少なくとも胴を伴うことなく交換できる。
【００１３】
更に、本発明の好ましい形態では、前記止め輪の少なくとも一端部を、前記筒状部の外周から食み出させて前記取付け溝から前記止め輪を外す際の操作部とし、この操作部と前記筒状部との間に前記裏蓋側から見て楔状の工具差込用隙間を形成している。
【００１４】
この好ましい形態では、止め輪が筒状部に取付けられた状態で、止め輪を外すための工具が挿入される工具差込用隙間が予め形成されているので、胴から縁部材を外す際には、工具の先端を工具差込用隙間に容易に挿入してから、止め輪をその弾性に抗して開いて、この止め輪を筒状部から外すことができる。
【００１５】
又、本発明の好ましい形態では、前記止め輪の少なくとも一端部の前記筒状部から外れた部位に工具差込用小孔を設けて、前記一端部を前記取付け溝から前記止め輪を外す際の操作部としている。
【００１６】
この好ましい形態では、止め輪が筒状部に取付けられた状態で、止め輪を外すための工具が挿入される工具差込用小孔が筒状部の外側に位置されているので、胴から縁部材を外す際には、工具の先端を工具差込用小孔に容易に挿入してから、止め輪をその弾性に抗して開いて、この止め輪を筒状部から外すことができる。
【００１７】
又、本発明の好ましい形態では、前記ガラスが前記環状段部に接着剤により固定されている。
【００１８】
この好ましい形態では、縁部材の筒状部への止め輪の着脱が、縁部材に過大な歪を与えることなく行われるので、縁部材を胴に着脱する際の縁部材の歪を原因としてガラスが剥離される恐れがない。しかも、縁部材の厚み方向に沿う環状段部の環状周面にガラスの周面が接着されることに加えて、環状周面に直角に連続する環状段部の座面にガラスの周部裏面が接着されるので、接着面積を大きく確保できる。このため、ガラスに対する必要な接着面積を確保しつつ縁部材の厚みを薄くすることが可能である。
【発明の効果】
【００１９】
本発明によれば、ガラスが固定された縁部材が損傷した場合等に、胴を伴うことなく縁部材を交換可能とした時計を提供できる。
【発明を実施するための最良の形態】
【００２０】
図１〜図６を参照して本発明の第１実施形態を説明する。
【００２１】
図１中符号１１は、時計、例えば竜頭１２をねじロックできる機能を備えた携帯時計、具体的には腕時計を示している。図２に示すように腕時計１１は、時計外装組立１３内に、文字板１４及び図示しない時計ムーブメント等を収容している。時計ムーブメントは、小型電池やぜんまいを動力にしたもの、又は自動巻きのもの、若しくはクォーツ発振モジュールにより文字板１４上で時刻等をデジタル表示するデジタル時計対応のもの、或いはデジタル時計対応のものとそれ以外のものとを併用したもの等のいずれであってもよい。
【００２２】
図２に示すように時計外装組立１３は、環状の胴１５の表側に、縁部材２１を介してガラス２７を装着するとともに、胴１５の裏側に金属等からなる裏蓋３１を液密に装着して形成されている。
【００２３】
胴１５はステンレス鋼やチタン等の金属又は合成樹脂からなる。胴１５は表側端部１５ａを有している。この表側端部１５ａは、胴１５の内空部に向けて突出されていて、胴１５の表側部位に嵌合孔１６を形成している。嵌合孔１６は例えば円形である。
【００２４】
表側端部１５ａの表面は縁受け面１７をなしている。この縁受け面１７は、例えば嵌合孔１６の表側開口端から周囲に張り出すように嵌合孔１６に直角に連続した平面で形成されている。表側端部１５ａの裏面は係合裏面１８をなしている。この係合裏面１８は、嵌合孔１６の裏側開口端から周囲に張り出すように嵌合孔１６に直角に連続した平面で形成されている。縁受け面１７と係合裏面１８とは平行である。
【００２５】
胴１５の裏側端部１５ｂの内面には係止溝１９が形成されている。裏蓋３１は胴１５に対しその裏側から取外し可能である。そのために、裏蓋３１は、弾性変形可能な胴内挿入筒部３２を一体に有し、この胴内挿入筒部３２の先端部数箇所に係合凸部３２ａ（一箇所のみ図示）が形成されている。
【００２６】
したがって、胴内挿入筒部３２を胴１５の裏面開口に挿入することにより、胴内挿入筒部３２の弾性変形を伴って係合凸部３２ａが係止溝１９の下側の縁を乗り越えると同時に、この係合凸部３２ａが係止溝１９に引っ掛かって、裏蓋３１を胴１５に装着できる。この取付け状態で、図示しないマイナスドライバー等の工具の先端部を裏蓋３１の周部と裏側端部１５ｂに差込んで、裏蓋３１をこじって係止溝１９から係合凸部３２ａを外すことにより、胴１５から裏蓋３１を外すことができる。なお、図２中符号３３は樹脂系の弾性材料で作られた環状シールパッキンを示している。シールパッキン３３は、胴１５と裏蓋３１とで圧縮状態に挟持されて、これらの間の防水・防塵を担っており、例えば裏蓋３１に設けた保持溝３４に嵌合して取付けられている。
【００２７】
縁部材２１は、例えばガラス２７を保持するガラス縁として使用されるものであって、ステンレス鋼やチタン等の金属又は合成樹脂により環状に形成されている。図２及び図５に示すように縁部材２１は、筒状部２２と、カバー部２３と、環状段部２４とを一体に有している。
【００２８】
筒状部２２は、嵌合孔１６に挿脱可能に嵌合されるもので、図３に示すように例えば円筒形をなしている。筒状部２２の高さは、図２に示すように胴１５の表側端部１５ａの厚みより長い。図２及び図４に示すように筒状部２２の先端部には、外周面に開放する環状の取付け溝２２ａが形成されている。更に、取付け溝２２ａから筒状部２２の先端面にわたる先端部位の外周は、この先端部位を先細とするテーパ面２２ｂとなっている。取付け溝２２ａの断面形状は例えば四角形である。
【００２９】
カバー部２３は表側端部１５ａの縁受け面１７に重ねられる部位である。このカバー部２３の裏面には環状の保持溝２３ａが形成されている。この保持溝２３ａには樹脂系の弾性材料で作られた環状のシールパッキン２５（図２参照）が嵌合されている。自由状態でのシールパッキン２５の厚みは保持溝２３ａの深さより大きい。
【００３０】
縁部材２１の内周側部位に設けられた環状段部２４は、図５に示すように環状周面２４ａと座面２４ｂとで形成されている。環状周面２４ａは縁部材２１の厚み方向に沿って設けられ、座面２４ｂは環状周面２４ａに直角に連続して設けられている。座面２４ｂの面積は環状周面２４ａの面積より大であることが好ましい。この環状段部２４には接着剤２８（図２参照）を介してガラス２７が嵌め込み固定されている。
【００３１】
ガラス２７の縁部材２１への固定は、接着剤２８を環状周面２４ａと座面２４ｂとがなす角部に塗布してから、環状段部２４のガラス２７を嵌め込むことによってなされる。これにより、環状段部２４とガラス２７の周部との間の接着剤２８が、環状周面２４ａ及び座面２４ｂに沿って延ばされて、環状周面２４ａに接するガラス２７の周面が接着されるとともに、座面２４ｂに接するガラス２７の周部裏面とが縁部材２１に接着される。
【００３２】
このようにガラス２７が装着された縁部材２１は、図６等に示す止め輪３６を用いて胴１５に着脱可能に取付けられている。止め輪３６は、長方形断面の金属材料でＣ字形状の作られていて、弾性変形が可能である。この止め輪３６の自由状態での内径は、取付け溝２２ａの奥面Ｅ（図５参照）に沿った溝内径より大きい。止め輪３６の外径は、止め輪３６が自由状態であるかどうかに拘わらず筒状部２２の外径、及び嵌合孔１６の径よりも大きい。
【００３３】
胴１５への縁部材２１の着脱は裏蓋３１が外された状態で胴１５の内部で以下のように実施される。
【００３４】
既にガラス２７及びシールパッキン２５が組み付けられた縁部材２１を胴１５に取付ける手順を説明する。
【００３５】
まず、縁部材２１の筒状部２２を胴１５の表側から胴１５の嵌合孔１６に嵌合させる。この状態で、表側端部１５ａの縁受け面１７と縁部材２１のカバー部２３との間に配置されたシールパッキン２５を圧縮させながら、カバー部２３の裏面を縁受け面１７に当接させる。それに伴い筒状部２２の先端部が嵌合孔１６を挿通し、取付け溝２２ａの筒状部２２先端から遠い方の壁面Ｆ（図５参照）が、表側端部１５ａの係合裏面１８と面一に連続するようにこの係合裏面１８と略同じ高さ位置に配置される。
【００３６】
次に、この状態を保持したまま胴１５の裏面開口より胴１５内に止め輪３６を収めて、この止め輪３６を筒状部２２の外周に押し込んで取付け溝２２ａに嵌合させる。この場合、筒状部２２の先端部位外周のテーパ面２２ｂにより、止め輪３６は、径を広げる方向に円滑に弾性変形されてから、その内周側部位が取付け溝２２ａに嵌合されるので、止め輪３６を押し込むだけで容易に取付け溝２２ａに取付けることができる。
【００３７】
こうした止め輪３６の取付けによって、この止め輪３６の外周部位が表側端部１５ａの係合裏面１８に当接されるから、止め輪３６と縁部材２１のカバー部２３とて胴１５の表側端部１５ａを厚み方向に挟んで、図２に示すように縁部材２１が胴１５に装着される。この取付けにより、ガラス２７は文字板１４に対向する。
【００３８】
この状態では、取付け溝２２ａに嵌合された止め輪３６がその径を広げる方向の弾性変形を維持しているとともに、圧縮状態のシールパッキン２５の弾性反発力で、係合裏面１８への止め輪３６の当接が強化されている。このため、止め輪３６ががたつくことなく安定した状態を維持するので、ガラス２７が固定された縁部材２１の胴１５への取付け状態も安定する。又、カバー部２３と縁受け面１７との間のシールパッキン２５は、依然として圧縮状態に挟まれているので、縁部材２１と胴１５との間の液密を確保できる。
【００３９】
次に、胴１５から縁部材２１を外す手順を説明する。
【００４０】
裏蓋３１が外された状態の胴１５の裏面開口より工具（図示しない）を挿入するとともに、この工具を、止め輪３６の端部に引掛けて、この端部を、図３中矢印で示すように止め輪３６が開く方向に操作する。この場合、取付け溝２２ａから既に外された止め輪３６の部位を、筒状部２２の先端部に斜めに交差させた状態に支持しつつ、止め輪３６の他の部位を開く作業を次第に進行させるとよい。これにより、止め輪３６が縁部材２１の筒状部２２から外されて、胴１５に対する縁部材２１の保持が解除されるので、この後に、縁部材２１を胴１５から引き抜いて外すことができる。
【００４１】
このような縁部材２１の取外し手順によれば、胴１５の表側から縁部材２１をこじって縁部材２１を外さなくてよいので、縁部材２１及び胴１５の表側端部１５ａが傷付く恐れがない。
【００４２】
以上のように胴１５に対して縁部材２１を着脱することが可能であるので、縁部材２１及びガラス２７が損傷した場合には、交換対象である縁部材２１及びガラス２７を既述の手順により胴１５から外して交換できる。同様に、腕時計１１の長期使用でシールパッキン２５の防水・防塵性能が低下した場合にも、既述の手順でガラス２７が固定された縁部材２１を胴１５から外した上で、同じく交換対象であるシールパッキン２５を、ガラス２７が固定された縁部材２１及び胴１５を伴うことなく交換できる。したがって、いずれの場合にも少なくとも胴１５を交換部品とともに廃棄する必要がなくなるので、修理依頼者にとっての交換費用を低減できる。
【００４３】
既述の縁部材２１の筒状部２２への止め輪３６の着脱は、縁部材２１に過大な歪を与えることなく行われる。これにより、縁部材２１を胴１５に着脱する際に、縁部材２１の歪がガラス２７の接着部に波及してガラス２７が剥離される恐れがない。このように縁部材２１の着脱時に接着を剥がす作用が働かないので、縁部材２１の厚みを薄くすることが可能である。それにより、腕時計１１全体の薄型化を図ることができる。そして、縁部材２１を薄くしても、その厚み方向に沿う環状段部２４の環状周面２４ａにガラス２７の周面が接着されることに加えて、環状段部２４の座面２４ｂにガラス２７の周部裏面が接着され、縁部材２１に対するガラス２７の接着面積を大きく確保できるので、ガラス２７を縁部材２１に確実に固定できる。
【００４４】
なお、ガラス２７の周面と環状段部２４の環状周面２４ａとの間に環状の弾性パッキンを圧縮状態に挟持してガラス２７を縁部材２１に取付ける場合には、環状段部２４の座面２４ｂを固定面として利用できない。このため、環状周面２４ａの高さを大きくして必要なガラス保持力を得る必要があり、したがって、本実施形態に比較して縁部材２１を厚くせざるを得ない。
【００４５】
図７及び図８を参照して本発明の第２実施形態を説明する。第２実施形態は、以下説明する事項以外は第１実施形態と同じであるので、第１実施形態と同じ構成については同一符号を付してその説明を省略する。
【００４６】
第２実施形態では、止め輪３６の一端部で操作部３６ａが形成されている。この操作部３６ａは先端に行くほど先細に形成されている。詳しくは、止め輪３６の一端部内周面３６ｂを斜状面に形成することによって、この一端部内周面３６ｂを止め輪３６の一端部外周面３６ｃに次第に近付けて、先細の操作部３６ａを形成している。この操作部３６ａは、筒状部２２の取付け溝２２ａに止め輪３６を嵌め付けた状態で、図７に示すように裏蓋側から見て筒状部２２の外周に一端部内周面３６ｂが斜めに交差する状態に食み出して配置される。それにより、この操作部３６ａと筒状部２２との間に楔状の工具差込用隙間Ｇを形成している。
【００４７】
このため、胴１５から縁部材２１を外すのに、筒状部２２と止め輪３６との間に、工具の先端を容易に挿入して止め輪３６を開く操作ができる。つまり、既述のように止め輪３６を筒状部２２から外すための工具（図示しない）が挿入される工具差込用隙間Ｇが予め形成されているので、この工具差込用隙間Ｇに工具の先端を格別な労力を要することなく挿入できる。これにより、その後、止め輪３６をその弾性に抗して開いて、止め輪３６を筒状部２２から容易に外すことができる。
【００４８】
なお、以上説明した事項以外は、第１実施形態と同じである。又、この第２実施形態において、止め輪３６の一端部だけではなく、他端部にも、筒状部２２との間に楔状の工具差込用隙間Ｇを形成する既述の操作部３６ａを設けてもよい。
【００４９】
図９を参照して本発明の第３実施形態を説明する。第３実施形態は、以下説明する事項以外は第１実施形態と同じであるので、第１実施形態と同じ構成については同一符号を付してその説明を省略する。
【００５０】
第３実施形態では、止め輪３６の少なくとも一端部、好ましくは両端部が操作部３６ａをなしており、この操作部３６ａには工具差込用小孔３６ｄが夫々設けられている。これら工具差込用小孔３６ｄは、筒状部２２の取付け溝２２ａに止め輪３６を嵌め付けた状態で、裏蓋側から見て筒状部２２から食み出して配置される。つまり、筒状部２２に取付けられた止め輪３６において、筒状部２２から外れた部位に工具差込用小孔３６ｄが設けられている。
【００５１】
このため、胴１５から縁部材２１を外すのに、工具差込用小孔３６ｄに工具の先端を容易に挿入して止め輪３６を開く操作ができる。このように止め輪３６の端部には、止め輪３６を筒状部２２から外すための工具（図示しない）が挿入される工具差込用小孔３６ｄが予め形成されているので、この工具差込用小孔３６ｄに工具の先端を格別な労力を要することなく挿入できる。これにより、その後、止め輪３６をその弾性に抗して開いて、止め輪３６を筒状部２２から容易に外すことができる。しかも、止め輪３６を一端だけではなく両端を同時に開いて操作することにより、止め輪３６を筒状部２２からより容易に外すことができる。なお、以上説明した事項以外は、第１実施形態と同じである。
【図面の簡単な説明】
【００５２】
【図１】本発明の第１実施形態に係る腕時計を示す平面図。
【図２】図１の腕時計の一部を拡大して示す断面図。
【図３】図２中矢印Ｆ３−Ｆ３線に沿って示す断面図。
【図４】図１の腕時計が備える縁部材の一部を外側から見て示す斜視図。
【図５】図１の腕時計が備える縁部材の一部を内側から見て示す斜視図。
【図６】図１の腕時計が備える止め輪を示す斜視図。
【図７】本発明の第２実施形態に係る腕時計を示す図２相当の断面図。
【図８】図７の腕時計が備える止め輪を示す斜視図。
【図９】（Ａ）は本発明の第３実施形態に係る腕時計が備える止め輪を示す平面図。（Ｂ）は同止め輪を示す斜視図。
【符号の説明】
【００５３】
１１…腕時計（時計）
１３…時計外装組立
１５…胴
１５ａ…胴の表側端部
１５ｂ…胴の裏側端部
１６…嵌合孔
１７…縁受け面
１８…係合裏面
２１…縁部材
２２…筒状部
２２ａ…取付け溝
２３…カバー部
２４…環状段部
２４ａ…環状周面
２４ｂ…座面
２５…シールパッキン
２７…ガラス
２８…接着剤
３１…裏蓋
３６…止め輪
３６ａ…操作部
Ｇ…工具差込用隙間
３６ｄ…工具差込み用小孔
【図１】
2007171128.tif 000003
【図２】
2007171128.tif 000004
【図３】
2007171128.tif 000005
【図４】
2007171128.tif 000006
【図５】
2007171128.tif 000007
【図６】
2007171128.tif 000008
【図７】
2007171128.tif 000009
【図８】
2007171128.tif 000010
【図９】
2007171128.tif 000011